(57)【特許請求の範囲】
【請求項１】
親機と子機とから構成され、前記親機と前記子機とがＤＥＣＴ方式の無線通信を行う無線通信装置であって、
前記親機は、制御信号を送信するための制御チャネルを使用して、第１送信電力値を示す情報を含む前記制御信号を前記第１送信電力値に増幅して前記子機に送信し、
前記子機は、前記親機から送信された前記制御信号の受信電界強度を測定し、当該受信電界強度の測定値と前記親機から送信された前記制御信号に含まれる前記第１送信電力値に基づいて第２送信電力値を決定し、
前記子機は、前記第２送信電力値を示す情報を含む信号を前記第２送信電力値に増幅して送達確認なしの１つのスロットで完結するメッセージとして前記親機に送信し、
前記親機は、前記子機から送信された信号の受信電界強度を測定し、当該受信電界強度の測定値と前記子機から送信された信号に含まれる前記第２送信電力値に基づいて前記第１送信電力値を決定する、
無線通信装置。
【請求項２】
前記子機は、
間欠動作の為のカウンタを備え、
前記カウンタが満了すると前記制御信号を受信した制御チャネルのスロットと予め決められた位置関係にあるスロットを使用して、前記第２送信電力値を示す情報を含む信号を前記親機に送信する、
請求項１に記載の無線通信装置。
【請求項３】
前記子機は、
所定のイベントが生じた時に、前記制御信号を受信した制御チャネルのスロットと予め決められた位置関係にあるスロットを使用して、前記第２送信電力値を示す情報を含む信号を前記親機に送信する、
請求項１に記載の無線通信装置。
【請求項４】
前記所定のイベントが生じた時とは、前記子機と前記親機との間の伝播損失が所定のレベルより増大した時である、
請求項３に記載の無線通信装置。
【請求項５】
前記所定のイベントが生じた時とは、前記子機に備わったセンサが所定の事象を検知した時である、
請求項３に記載の無線通信装置。
【請求項６】
前記子機は、前記所定の事象の内容に応じて、前記第２送信電力値を示す情報を含む信号を連続して送信するフレーム数を変更する、
請求項５に記載の無線通信装置。
【請求項７】
前記親機は、同時に複数の子機と通信を行う場合に、前記各子機から送信された信号の受信電界強度を測定し、当該受信電界強度の測定値と前記第２送信電力値に基づいて前記各子機との間の伝播損失を計算し、最も伝播損失が大きい子機を基準に前記第１送信電力値を決定する、
請求項１に記載の無線通信装置。
【請求項８】
前記子機は、前記親機からの信号を正常に受信できない場合には、前記第２送信電力値を示す情報を含む信号を複数フレームに渡って連続して送信する、
請求項１に記載の無線通信装置。
【請求項９】
前記子機は、前記親機との間の伝播損失が所定値より増大したと判定した場合には、前記第２送信電力値を示す情報を含む信号を複数フレームに渡って連続して送信する、
請求項１に記載の無線通信装置。
【請求項１０】
前記親機は、間欠受信を行う子機からの信号を受信できない状態が所定時間以上続いた場合には、前記第１送信電力値を最大にする、
請求項１に記載の無線通信装置。
【請求項１１】
前記親機は、予め決められた間隔で、制御信号を送信するためのチャネルを使って前記第２送信電力値の送信を要求するメッセージを送信し、
前記子機は、前記親機から送信された前記メッセージを受信すると、前記制御信号を受信した制御チャネルのスロットと予め決められた位置関係にあるスロットを使用して、前記第２送信電力値を示す情報を含む信号を前記親機に送信する、
請求項１に記載の無線通信装置。
【請求項１２】
親機と子機とから構成され、前記親機と前記子機とがＤＥＣＴ方式の無線通信を行う無線通信装置の送信電力制御方法であって、
前記親機が、制御信号を送信するための制御チャネルを使用して第１送信電力値を示す情報を含む前記制御信号を前記第１送信電力値に増幅して前記子機に送信するステップと、
前記子機が、前記親機から送信された前記制御信号の受信電界強度を測定するステップと、
前記子機が、前記受信電界強度の測定値と前記親機から送信された前記制御信号に含まれる前記第１送信電力値に基づいて第２送信電力値を決定するステップと、
前記子機が、前記第２送信電力値を示す情報を含む信号を前記第２送信電力値に増幅して送達確認なしの１つのスロットで完結するメッセージとして前記親機に送信するステップと、
前記親機が、前記子機から送信された信号の受信電界強度を測定するステップと、
前記親機が、前記子機から送信された信号の受信電界強度の測定値と前記子機から送信された信号に含まれる前記第２送信電力値に基づいて前記第１送信電力値を決定するステップと、
を有する送信電力制御方法。
【請求項１３】
前記親機が前記第１送信電力値を決定するステップは、
前記親機が同時に複数の子機と通信を行う場合に、前記子機毎に前記子機から送信された信号の受信電界強度を記憶する記憶ステップと、
前記記憶された前記受信電界強度の測定値と前記各子機の第２送信電力値とに基づいて前記各子機との間の伝播損失を求めるステップと、
最も伝播損失が大きい子機を基準に前記第１送信電力値を決定するステップと、
からなる、請求項１２に記載の送信電力制御方法。
【発明の詳細な説明】
【技術分野】
【０００１】
本発明は、デジタルコードレス電話機に応用可能な無線通信装置および送信電力制御方法に関する。
【背景技術】
【０００２】
コードレスの子機を有し、電話回線に接続された親機から離れて通話相手と会話することができるコードレス電話機が普及している。その普及に伴い、複数の無線通信システムが同一エリア内に存在するようなケースも生じるようになってきた。このようなケースでは、親機が常時最大の電力で電波を送信すると、親機と子機が離れていても通話することができる反面、他の無線通信システムへの電波干渉が大きくなってしまうという課題があった。
【０００３】
そこで、親機の送信電力値を可変制御するコードレス電話機が開発されている。例えば、特許文献１には、通信開始時に無線通信機の送信電力値を最大値にして送信を行い、送信に成功するごとに送信電力値を所定量ずつ下げていき、送信に失敗したときには送信電力値を所定量上げる等の制御をすることにより最適な送信電力値を設定する技術が開示されている。
【０００４】
また、特許文献２には、子機が充電台に連結されているか否かに応じて、親機（接続装置）の送信電力値を制御する技術が記載されている。すなわち、特許文献２には、子機と接続装置の間では、子機が充電台に連結されると低い送信電力値で通信し、子機が充電台から離されると高い送信電力値で通信する技術が開示されている。これにより、特許文献２の技術は、子機が接続装置から遠ざかる過程で妨害波が届いても、子機と接続装置の間の通信を維持することができるようにするものである。
【先行技術文献】
【特許文献】
【０００５】
【特許文献１】特開２００１−３３２９８７号公報
【特許文献２】特開２００２−３４５０２６号公報
【発明の概要】
【発明が解決しようとする課題】
【０００６】
従来のデジタルコードレス電話機や、無線ドアホンなどは、親機／子機の位置関係によらず電波法で許可された上限の送信電力値で無線通信を行っている。そのため、複数の機器を狭いエリア内で同時に収容し、通信を行うと他のシステムとの間で相互干渉が発生し、通信品質が低下する場合があった。
【０００７】
図２５は、隣接する他のコードレス電話システムに対する干渉の様子を示す。図２５に示すように、親機に登録された子機が複数有る場合（子機Ａ、子機Ｂ）、遠方に存在する子機Ｂで受信可能なように親機が送信する制御信号を送信するためのチャネル（制御チャネル）における送信電力値を最大にすると、隣接する他のコードレス電話システムに大きな干渉を与えてしまうおそれがある。
【０００８】
特許文献１の技術によれば、各機器は、送信相手方の送信電力値が既知であれば、相手機から送信された信号の受信電界強度を測定し、自機と相手機との間の伝播損失を計算し、伝播損失に基づいて送信電力値を適切に決定することができる。たとえ一方の機器が携帯可能な移動端末（コードレス電話機の子機、スマートホン、タブレット端末など）であっても、他方の機器は、相手機の送信電力値をリアルタイムで把握できれば送信電力値を適切に決定することができる。
【０００９】
但し、特許文献１の技術では、相手機の送信電力値が状況に応じて変更される場合には、相手機の送信電力値をリアルタイムで把握できなければ、自機の送信電力値を適切に決定することができない。また、特許文献１の技術では、一方の機器が比較的長い時間送信を休止する場合には、通信を再開した機器は、その時の相手機の送信電力値を正確に把握することができないので、送信電力値を適切に決定することができない。
【００１０】
特許文献２の技術では、子機が充電台から離れたら直ぐに相手方に通知メッセージを送信する必要がある。もし不要輻射や消費電力の低減のために、待機状態の時に一方または双方の機器が信号の送信を所定期間休止する間欠動作をする場合、親機（接続装置）は、子機が充電台から離された時に直ぐに子機との通信を再開することができず、送信電力値を上げることができない。
【００１１】
また、子機が送信電力値を変更する場合、子機が親機に送信電力値を通知するためだけに親機との間で無線リンクを確立すると、無線リンクを確立するための動作によって子機の電力消費を増加させてしまい、また無線リソース（スロット、チャネル）の無駄な占有を起こしてしまう。
【００１２】
本発明の目的は、親機および子機の双方で送信電力値を制御することによって他の無線通信システムへの電波干渉を極力抑え、さらに、自機の送信電力値を相手機に通知するための電力消費および無線リソースの使用を抑えることができる無線通信装置および送信電力制御方法を提供することである。
【課題を解決するための手段】
【００１３】
本発明の無線通信装置は、親機と１または複数の子機とから構成される無線通信装置であって、前記親機は、待機状態において、制御信号を送信するための制御チャネルを使用して、第１送信電力値を示す情報を含む前記制御信号を前記第１送信電力値に増幅して前記各子機に送信し、前記各子機は、前記制御信号の受信電界強度を測定し、当該受信電界強度の測定値と前記第１送信電力値に基づいて第２送信電力値を決定し、前記各子機は、所定の周期で、前記第２送信電力値を示す情報を含む信号を前記第２送信電力値に増幅して１つのスロットのみで前記親機に送信し、前記親機は、前記各子機から送信された信号の受信電界強度を測定し、当該受信電界強度の測定値と前記第２送信電力値に基づいて前記第１送信電力値を決定する、構成を採る。
【００１４】
また、本発明の送信電力制御方法は、親機と１または複数の子機とから構成され、前記親機が前記各子機とＴＤＭＡ方式の無線通信を行う無線通信装置の送信電力制御方法であって、前記親機が、制御信号を送信するための制御チャネルを使用して第１送信電力値を示す情報を含む前記制御信号を前記第１送信電力値に増幅して前記各子機に送信するステップと、前記各子機が、前記制御信号の受信電界強度を測定するステップと、前記各子機が、前記受信電界強度の測定値と前記第１送信電力値に基づいて第２送信電力値を決定するステップと、前記各子機が、前記制御信号を受信したスロットと予め決められた位置関係にあるスロットを使用して、前記第２送信電力値を示す情報を含む信号を前記第２送信電力値に増幅して１つのスロットのみで前記親機に送信するステップと、前記親機が、前記各子機から送信された信号の受信電界強度を測定するステップと、前記親機が、前記各子機から送信された信号の受信電界強度の測定値と前記第２送信電力値に基づいて前記第１送信電力値を決定するステップと、を有する。
【発明の効果】
【００１５】
本発明によれば、親機および子機の双方で送信電力値を制御することにより、他の無線通信システムへの電波干渉を極力抑えることができる。また、子機から親機に送信電力値を通知するための通知メッセージを１つのスロットのみで送信することにより、子機の送信電力値通知に要する子機の消費電力の増加、および無線リソースの無駄な使用を低減することができる。
【図面の簡単な説明】
【００１６】
【図１】本発明の一実施の形態に係る親機の構成を示すブロック図
【図２】同実施の形態に係る子機および充電台の構成を示すブロック図
【図３】同実施の形態に係る子機を充電台に載置する様子を示す外観図
【図４】ＤＥＣＴ方式における無線信号の多重化方式のフレーム、スロット構成を示す図
【図５】ＤＥＣＴ方式の無線通信システムで使用する１つのスロットで送受信される無線信号のフィールド構成を示す図
【図６】ＤＥＣＴ方式における待機状態での親機と子機の通信の様子を説明する図
【図７】ＤＥＣＴ方式における通話状態での親機と子機の通信の様子を説明する図
【図８】本発明の一実施の形態に係る親機のメモリ部に記憶される情報を示す図
【図９】同実施の形態に係る子機のメモリ部に記憶される情報を示す図
【図１０】同実施の形態に係る親機の制御信号を送信するためのチャネルのエリア調整の様子を示す図
【図１１】同実施の形態に係る親機および子機の送信電力値、受信電界強度、伝播損失、距離の関係を説明する図
【図１２】同実施の形態において、親機のローパワー通信エリアとハイパワー通信エリアを跨いで子機が移動した時の送信電力制御の為の通知メッセージ送信を説明する図
【図１３】同実施の形態において、子機におけるローパワーからハイパワーへの切り替えおよびハイパワーからローパワーへの切り替えの際の伝播損失と距離の関係、および子機から親機に送信する通知メッセージのタイミングを説明する図
【図１４】同実施の形態において、待機中の送信電力値を示す情報、送信電力制御の為の通知メッセージの通知を説明する図
【図１５】同実施の形態において、複数の子機が所定の周期で送信電力制御の為の通知メッセージを親機に送信することを示すタイミングチャート
【図１６】同実施の形態において、待機中の生存確認の為のための送信電力制御の為の通知メッセージ送信と生存確認要求とを説明する図
【図１７】同実施の形態において、通話中の通話チャネルにおける送信電力制御を説明する図
【図１８】同実施の形態において、親機と子機の動作の例を示すフロー図
【図１９】同実施の形態において、子機の送信電力制御手順を示すフロー図
【図２０】本発明の実施の形態２において、親機が子機からのセンサ情報を受信した場合の受信電界強度の通知を示す図
【図２１】本発明の実施の形態３における、ドアホン親機等と連携する場合の対応を示す図
【図２２】本発明の実施の形態４における、隣接する他のコードレス電話システムに対する干渉を回避する仕組みを示すシーケンス図
【図２３】本発明の各実施の形態に係る子機の表示の例を示す図
【図２４】本発明の実施の形態５における複数の子機が所定の周期で送信電力制御の為の通知メッセージを親機に送信することを示すタイミングチャート
【図２５】隣接する他のコードレス電話システムに対する干渉の様子を示す図
【発明を実施するための形態】
【００１７】
以下、本発明の実施の形態について、図面を参照して詳細に説明する。なお、以下の説明では、ＤＥＣＴ（Digital Enhanced Cordless Telecommunication）規格に準拠したデジタルコードレス電話機を例に説明する。ＤＥＣＴは、欧州の電気通信標準化機関であるＥＴＳＩ（European Telecommunications Standards Institute）で標準化されている方式である。
【００１８】
（実施の形態１）
デジタルコードレス電話機は、１つの親機１（図１参照）と、１または複数の子機２（図２参照）と、子機２と同数の充電台３（図２参照）と、から構成される。親機１（無線通信装置）は、各子機２とＴＤＭＡ（Time Division Multiple Access）方式の無線通信を行う。
【００１９】
図１は、本発明の一実施の形態に係る親機１の構成を示すブロック図である。図１に示すように、親機１は、電話回線インターフェース１０１と、主制御部１０２と、メモリ部１０３と、無線部１０４と、アンテナ１０５と、表示部１０６と、操作部１０７と、マイクロフォン１０８と、スピーカ１０９と、クロック生成部１１０と、から主に構成される。
【００２０】
電話回線インターフェース１０１は、電話回線と主制御部１０２とを繋ぐインターフェースであり、着呼処理、発呼処理を行って電話回線を介して外部の電話機と接続したり、回線の開放・閉結を行ったりする。
【００２１】
主制御部１０２は、ＣＰＵを含み、メモリ部１０３に記憶されている制御プログラムに基づいて、各部から出力された信号の処理、および、各部の制御を行う。特に、主制御部１０２は、デジタル音声データに対してＡＤＰＣＭ（Adaptive Differential Pulse Code Modulation）方式の符号化処理を行い、制御データを付加し、フレーム中の所定のスロットに挿入し、周波数変調等の変調処理を行い、ベースバンドの送信信号を生成する。また、主制御部１０２は、ベースバンドの受信信号に対して復調処理を行い、フレーム中の所定のスロットから制御データおよび音声符号化データを取り出し、音声符号化データに対してＡＤＰＣＭ方式の復号処理を行い、デジタル音声データを生成する。
【００２２】
メモリ部１０３は、例えば、主制御部１０２が使用する制御プログラム、および、各種データを記憶する。また、メモリ部１０３は、主制御部１０２の作業用メモリ、各種情報を記録しておくテーブルを備える。メモリ部１０３の登録情報記録部（図示せず）は、親機１自身のＩＤ（Identification）、通信相手である各子機２のＩＤ、他の子機のＩＤ等を記憶する。なお、メモリ部１０３に記憶される情報の内、本発明に関わるものについては後述する。
【００２３】
無線部１０４は、主制御部１０２から出力されたベースバンドのデジタル信号に対して、増幅、アップコンバート等の無線処理を行い、アンテナ１０５から無線信号を送信する。また、無線部１０４は、アンテナ１０５に受信された無線信号に対して、増幅、ダウンコンバート等の無線処理を行い、ベースバンドのデジタル信号を主制御部１０２に出力する。
【００２４】
表示部（ＬＣＤ：Liquid Crystal Display）１０６は、主制御部１０２から出力された各種情報を表示する。操作部１０７は、多様なボタン、ダイヤル、キーを有し、ユーザの意志に基づく操作内容を電気信号に変換して主制御部１０２に出力する。
【００２５】
マイクロフォン１０８は、ユーザの音声を集音し、音声信号に変換して主制御部１０２に出力する。スピーカ１０９は、小型スピーカを含み、電話回線インターフェース１０１から呼出信号を受信した場合に報知音を出力し、主制御部１０２から出力された音声信号を音声に変換して発音する。
【００２６】
クロック生成部１１０は、親機１の各部が動作するために用いられるクロック信号を生成する。
【００２７】
ここで、本発明の特徴的な構成として、主制御部１０２は、送信電力制御部１０２ａおよびタイマ部１０２ｂを有する。また、無線部１０４は、レベル測定部１０４ａ、増幅部１０４ｂおよび同期制御部１０４ｃを有する。
【００２８】
送信電力制御部１０２ａは、レベル測定部１０４ａにて測定された各子機２からの受信信号の受信電界強度（ＲＳＳＩ：Received Signal Strength Indicator）に基づいて送信電力値を計算し、計算結果を示す制御信号を増幅部１０４ｂに出力する。なお、送信電力制御部１０２ａにおける具体的な送信電力制御方法は後述する。
【００２９】
タイマ部１０２ｂは、スリープ時間等の所定の時間を計時する。
【００３０】
レベル測定部１０４ａは、子機２からの受信信号の受信電界強度を測定し、受信電界強度の測定値を示すＲＳＳＩ信号を送信電力制御部１０２ａに出力する。
【００３１】
増幅部１０４ｂは、送信電力制御部１０２ａの制御に基づいて、アンテナ１０５から送信される無線信号の電力を増幅する。
【００３２】
同期制御部１０４ｃは、無線部１０４がＤＥＣＴプロトコルを用いて無線通信を行う場合、クロック生成部１１０の基準クロックに基づいて、無線部１０４による通信信号の通信タイミングを決定する。
【００３３】
図２は、本発明の一実施の形態に係る子機２および充電台３の構成を示すブロック図である。図２に示すように、子機２は、主制御部２０１と、メモリ部２０２と、無線部２０３と、アンテナ２０４と、表示部２０５と、操作部２０６と、マイクロフォン２０７と、スピーカ２０８と、充電回路２１１と、２次電池２１２と、電源制御部２１３と、から主に構成される。また、子機２は、端子Ｔ２１、Ｔ２２を有する。
【００３４】
主制御部２０１は、メモリ部２０２に記憶されている制御プログラムに基づいて、各部から出力された信号の処理、および、各部の制御を行う。また、主制御部２０１は、充電回路２１１から充電検出信号を受け取ると、子機２が充電台３に載置されたことを通知するための通知メッセージ（以下、「載置通知メッセージ」という）を無線部２０３，アンテナ２０４を介して親機１に送信する。
【００３５】
また、主制御部２０１は、充電回路２１１から出力されていた充電検出信号が停止されると、子機２が充電台３から離れたことを通知するための通知メッセージ（以下、「分離通知メッセージ」という）を無線部２０３，アンテナ２０４を介して親機１に送信する。
【００３６】
メモリ部２０２は、制御プログラム等、所定の情報を記憶する。
【００３７】
無線部２０３は、主制御部２０１から出力されたベースバンドのデジタル信号に対して、増幅、アップコンバート等の無線処理を行い、アンテナ２０４から無線信号を送信する。また、無線部２０３は、アンテナ２０４に受信された無線信号に対して、増幅、ダウンコンバート等の無線処理を行い、ベースバンドのデジタル信号を主制御部２０１に出力する。
【００３８】
表示部２０５は、主制御部２０１から出力された各種情報を表示する。操作部２０６は、多様なボタン、ダイヤル、キーを有し、ユーザの意志に基づく操作内容を電気信号に変換して主制御部２０１に出力する。
【００３９】
マイクロフォン２０７は、ユーザの音声を集音し、音声信号に変換して主制御部２０１に出力する。スピーカ２０８は、主制御部２０１から出力された音声信号を音声に変換して発音する。
【００４０】
端子Ｔ２１，Ｔ２２は、子機２を充電台３に載置した際に端子Ｔ３１，Ｔ３２と接触させて充電電流を入力するための端子である。
【００４１】
充電回路２１１は、充電台３から供給される充電電流を入力して２次電池２１２および電源制御部２１３に供給する。また、充電回路２１１は、子機２が充電台３に載置され、充電台３からの充電電流を検出した場合、充電検出信号を信号送信部２０１に出力する。また、充電回路２１１は、子機２が、載置されていた充電台３から離れ、充電台３からの充電電流を検出しなくなった場合、充電検出信号の出力を停止する。
【００４２】
２次電池２１２は、充電回路２１１からの充電電流を蓄電し、電源制御部２１３に放電する。電源制御部２１３は、安定した直流電圧を、主制御部２０１に供給する定電圧源であり、充電回路２１１あるいは２次電池２１２からの直流電圧（例えば２．５Ｖ）をさらに低い電圧（例えば１．８Ｖ）に変換する。
【００４３】
図２に示す充電台３は、外部電源コネクタ３０１と、電源回路３０２と、から主に構成される。また、充電台３は、端子Ｔ３１、Ｔ３２を備える。端子Ｔ３１，Ｔ３２は、子機２に充電電流を供給するための端子である。
【００４４】
外部電源コネクタ３０１は、外部電源と接続して、直流電流を入力する。電源回路３０２は、外部電源コネクタ３０１からの直流電圧（例えば６．５Ｖ）を適正な電圧（例えば２．５Ｖ）に変換し、子機２の充電回路２１１に供給するＤＣ／ＤＣコンバータである。
【００４５】
図３に示すように、子機２は、ユーザが充電台３に載置すること、及び、充電台３から離すことが容易にできる構造となっている。子機２は、充電台３に載置されると、充電台３と電気的に接続し、２次電池２１２に充電台３からの充電電流を蓄電する。なお、親機１には、子機２に充電することができる構造を持つものがある。この場合、子機２は、親機１の充電部に載置されると、親機１と電気的に接続し、２次電池２１２に親機１からの充電電流を蓄電する。
【００４６】
ここで子機２の間欠動作について説明する。子機２の電源制御部２１３は、定電圧安定機能の他に、電源電力のＨｉ／Ｌｏｗを切り替えるスイッチ機能を有する。主制御部２０１のタイマ部２０１ｂ（図１８における第１のタイマ）はスリープ時間を計時する。主制御部２０１は、スリープ時間が満了値（約５分）に達する毎に電源制御部２１３のスイッチをＨｉに切り替え、無線部２０３に動作可能な電力を供給する。
【００４７】
一方、主制御部２０１は、電源制御部２１３のスイッチをＬｏｗに切り替えると、無線部２０３への電力供給を遮断する。また、スイッチがＬｏｗのとき、主制御部２０１はスリープ状態になり、電源制御部２１３は主制御部２０１に必要最小限の電力（タイマ部２０１ｂおよび低速のクロック回路を動作させ続けることが可能な電力）を供給する。
【００４８】
電源制御部２１３のスイッチがＨｉになると、無線部２０３が動作を開始する。無線部２０３が動作を開始し、親機１との通信が可能な状態になると、主制御部２０１の制御によって種々の通信に必要な動作が行われる。
【００４９】
主制御部２０１は通信に必要な動作を終了すると、電源制御部２１３に対してスイッチをＬｏｗに戻す等に指示を出し、電源制御部２１３はＬｏｗ電力状態に切り替わることによる主制御部２０１はスリープ状態に入る。このように子機２は間欠的な通信を行う。
【００５０】
なお、子機２が間欠的な通信の合間に主要部の動作を完全に停止させる場合もある。例えば、必要な時のみ画像を撮像するカメラ機能付き子機や、窓の開閉を検知するセンサ付子機等は、待機状態の時の電力消費を極力下げることが望ましいため、このような構成にすることが好ましい。
【００５１】
この場合、子機２の電源制御部２１３のスイッチ機能は、電源電力のＯｎ／Ｏｆｆを切り替える。無線部２０３および主制御部２０１には、電源制御部２１３のスイッチがＯｎのときのみ電力が供給され、電源制御部２１３のスイッチがＯｆｆのときには電力が供給されない。
【００５２】
ただし、電源制御部２１３のスイッチがＯｆｆのときでも、タイマ部２０１ｂには電池から電力が供給される。タイマ部２０１ｂは、常時、低速のクロック回路を動作させてカウント動作を行う。
【００５３】
タイマ部２０１ｂのカウント値が満了値（約１時間）に達する毎に、電源制御部２１３のスイッチはＯｎに切り替えられ、主制御部２０１および無線部２０３に電力が供給され、主制御部２０１の制御によって種々の通信に必要な動作が行われる。
【００５４】
主制御部２０１は、通信に必要な動作を終了すると、電源制御部２１３にスイッチをＯｆｆにするように指示を出す。電源制御部２１３は、スイッチをＯｆｆに切り替えて主制御部２０１および無線部２０３への電力供給を停止させる。これにより、主制御部２０１は、スリープ状態に入る。子機２が、スリープ状態において主要部の電源を完全にＯｆｆにする機能（ＵＬＥ：ultra low energy）を持つことにより、電力消費を大幅に下げることができる。
【００５５】
また、本発明の特徴的な構成として、主制御部２０１は、送信電力制御部２０１ａを有する。また、無線部２０３は、レベル測定部２０３ａおよび増幅部２０３ｂを有する。レベル測定部２０３ａは、親機１からの受信信号の強度（ＲＳＳＩ）を測定する。
【００５６】
送信電力制御部２０１ａは、親機１からの制御信号内の情報によって通知された親機１の送信電力値と、当該親機１からの制御信号の受信信号の強度（ＲＳＳＩ）に基づいて伝播損失（親機１との距離に相当）を判定し、子機２の送信電力値を計算し、メモリ部２０２に記録する。また、送信電力制御部２０１ａは、計算した送信電力値で信号を送信するように増幅部２０３ｂを制御する。増幅部２０３ｂは、送信電力制御部２０１ａによる制御に基づいて無線信号を増幅する。
【００５７】
また、主制御部２０１は、内蔵するカウンタによる定期的なタイミングで親機１に対して各種通知メッセージを送信する。特に、主制御部２０１は、ほぼ５分に１回の通知タイミングにおいて、メモリ部２０２に記憶されている当該子機２の最新の送信電力値を読出し、当該送信電力値を示すメッセージを親機１に送信する。
【００５８】
また、主制御部２０１は、前述のように計算した親機１との間の伝播損失が所定の基準値より低くなった場合、または、親機１の制御信号が正常に受信できない場合には、送信電力制御を行わずに送信電力値をフルパワーとすることを示す通知メッセージを親機１に送信する。なお、子機２の送信電力制御部２０１ａにおける具体的な送信電力制御方法は後述する。
【００５９】
次に、ＤＥＣＴ方式で通信する場合の、通信制御について説明する。まず、ＤＥＣＴ方式における多重通信について説明する。
【００６０】
図４は、ＤＥＣＴ方式における無線信号の多重化方式のフレーム、スロット構成を示す図である。図４に示したように、ＤＥＣＴ方式では、１０ｍｓ周期の１フレームを２４スロット（アップリンク用に１２スロット、ダウンリンク用に１２スロット）に分割したＴＤＭＡ／ＴＤＤ（Time Division Multiple Access/Time Division Duplex）方式で無線多重通信を行う。また、ＤＥＣＴ方式では、通信用に５つの周波数を使用することができる。
【００６１】
次に、ＤＥＣＴ方式における無線信号のフィールド構成について説明する。図５は、ＤＥＣＴ方式の無線通信システムで使用する１つのスロットで送受信される無線信号のフィールド構成を示す。図５に示すように、１つのスロットで送受信される無線信号は、同期フィールド、ＡフィールドおよびＢフィールドの３つのフィールドで構成される。
【００６２】
同期フィールドは、ビットタイミングの同期を取るためのプリアンブルと後続のＡフィールドの開始位置を検出するためのシンクワードで構成された同期信号のためのフィールドである。Ａフィールドは、Ａフィールドのメッセージの種別を示すメッセージ種別とＢフィールドのデータフォーマットを示すフォーマット識別情報とＡフィールドメッセージで構成された制御データ１とＡフィールドで受信したデータの受信エラー検出用の誤り検出符号１のためのフィールドである。
【００６３】
Ｂフィールドは、用途に応じたフォーマットで使用されるフィールドであり、通信制御用の制御データ、音声通信用の音声データ、画像通信用の画像データ、および、メッセージ通信用のメッセージのためのフィールドである。
【００６４】
次に、ＤＥＣＴ方式における無線通信制御用のメッセージについて説明する。ＤＥＣＴ方式における無線通信制御用のメッセージは、ＮＴメッセージ、ＭＴメッセージ、ＰＴメッセージ、ＱＴメッセージ、および、ＣＴメッセージに分類される。
【００６５】
ＮＴメッセージは、親機が自機の識別番号（即ち親機ＩＤ）を子機に通知するためのメッセージである。親機は、後述する制御信号の中にＮＴメッセージ含めて送信する。子機は、受信したＮＴメッセージにより、自機と通信を行う親機を選択する。また、ＮＴメッセージは、子機から送信する際に親機を指定するために使用される。
【００６６】
ＭＴメッセージは、親機と子機との間の無線リンクの確立、維持、切断のために使用されるメッセージである。また、ＭＴメッセージは、本発明において、子機から親機に送信電力値を通知するメッセージとして使用される。
【００６７】
ＰＴメッセージは、制御局から従属局を呼び出すためのページング用に使用されるメッセージである。また、ＰＴメッセージは、本発明において、制御局から従属局に送信電力値を通知するメッセージとして使用される。
【００６８】
ＱＴメッセージは、フレーム番号やスロット番号等の、フレーム、スロットの同期を確立するために必要な情報等を通知するために使用されるメッセージである。
【００６９】
ＣＴメッセージは、呼制御や認証のために使用されるメッセージである。また、ＣＴメッセージは、本発明において、制御局から従属局に送信電力値の通知メッセージの送信を要求するメッセージとして使用される。
【００７０】
次に、ＤＥＣＴ方式における、待機状態での親機１と子機２の通信について図６および図７を用いて説明する。
【００７１】
図６に示すように、ＤＥＣＴ方式では、１０ｍｓ周期の１フレームに２４スロット（アップリンク用に１２スロット、ダウンリンク用に１２スロット）が含まれる。親機１は、常時、フレーム毎に、所定のスロット（図６では第２スロット）で制御信号を送信している。すなわち、親機１は、各フレームの予め定められた所定のスロットを、制御信号を送信するためのチャネル（制御チャネル）に決め、この制御チャネルにおいて１０ｍｓのフレーム周期で制御信号（Beacon）を送信する。また、他の通話チャネルにおいても１０ｍｓのフレーム周期で信号が送受信される。
【００７２】
同期信号としての役割を持つ制御信号は同期データ（例えば、Ｓｙｎｃｗｏｒｄ）を含む。Ｓｙｎｃｗｏｒｄは、タイミング同期用の予め決定された既知の数字列であり、子機２が同期するための同期情報となる。受信側の子機２は、この既知の数字列を見つけた時点でフレームの切り出しと取り込みを始める。ＤＥＣＴ方式では、ネットワーク毎に固有のＳｙｎｃｗｏｒｄが割り当てられ、各機器が送信する信号には、当該Ｓｙｎｃｗｏｒｄが含まれている。
【００７３】
親機１は、この制御信号によって自機のＩＤを送信する。子機２は制御信号を受信しながら親機１のＩＤを取得し、待ち受ける親機１（登録した親機１）のＩＤと比較して同期すべき親機１を選択する。
【００７４】
図６に示すように、待機状態では、子機２は、親機１に信号を送信しない。発呼などのイベント等が発生し、通話状態になった場合のみ、子機２は、フレーム毎に、親機１に信号を送信する。また、子機２は、親機１に定期的に通知メッセージを送信する。その際、子機２は、予め定められた所定のスロットによって、そのイベントに関する通知メッセージを親機１に対して送信する。図６の例では、子機２は、第１４スロットを使って通知メッセージを送信する。また、後述のように数分の周期で、子機２は、何れかのスロットを選択し、種々の通知メッセージを親機１に送信する。
【００７５】
次に、ＤＥＣＴ方式における通話状態での親機１と子機の通信について、図７を用いて説明する。通話状態でも親機１は、待機状態と同様に制御信号（Beacon）を子機２に送信する。通話の為の通話チャネルとしては，制御信号のスロットとは異なるスロットが用いられる。親機１および子機２は、各フレームにおいて、親機１が指定した上りと下りのスロット（図７では第５スロットおよび第１７スロット）にて、音声信号を送信／受信する。
【００７６】
本実施の形態の親機１は、各子機２から送信された通知メッセージ（送信電力通知メッセージあるいはイベント通知メッセージなど）の受信電界強度を測定し、各子機２と親機１との間の伝播損失を計算し、計算結果に基づいて親機の送信電力値を制御する。また、子機２は、親機１から送信される制御信号（送信電力通知メッセージ）の受信電界強度を測定し、各子機２と親機１との間の伝播損失を計算し、計算結果に基づいて子機の送信電力値を制御する。以下、親機１および子機２の送信電力制御について説明する。
【００７７】
図８は、本発明の一実施の形態に係る親機１のメモリ部１０３に記憶される情報を示す。図８に示すように、親機１のメモリ部１０３には、各子機２について、子機のＩＤ番号（ＩＤi）、通知メッセージ（送信電力通知メッセージあるいはイベント通知メッセージ）などの受信電界強度に基づいて計算した伝播損失（Ｐppi）、各子機２が電力制御の機能を有するか否かを示す情報、および、通知メッセージの受信時刻（Ｔppi）が対応付けて記憶される。以下、図８に示したテーブルを親機側送信電力制御テーブルという。
【００７８】
レベル測定部１０４ａは、親機１が各子機２から通知メッセージを受信する度に、通知メッセージの受信電界強度を測定し、受信電界強度の測定値を主制御部１０２（送信電力制御部１０２ａ）に出力する。
【００７９】
主制御部１０２は、いずれかの子機２から送信電力通知メッセージを受信すると、当該メッセージで通知された子機２の送信電力（送信電力通知メッセージを送信した際の送信電力）とレベル測定部１０４ａより通知された送信電力通知メッセージの受信電界強度より伝播損失を計算し、当該子機２のＩＤ、伝播損失および受信時刻を対応付けて、メモリ部１０３に記憶する。
【００８０】
また、主制御部１０２は、メモリ部１０３において電力制御の機能を有するか否かを示す情報が「無」となっている子機（例えばＩＤ3の子機）から送信電力通知メッセージ以外の通知メッセージ（例えば、イベント通知メッセージ）を受信すると、予め決められた子機２の送信電力（例えば、ＤＥＣＴのコードレス電話子機であれば23dbm）とレベル測定部１０４ａにより通知された通知メッセージの受信電界強度に基づいて伝播損失を計算し、当該子機のＩＤ、伝播損失および受信時刻を対応付けて、メモリ部１０３に記憶する。
【００８１】
送信電力制御部１０２ａは、所定のタイミングで、メモリ部１０３に記憶されている伝播損失（Ｐppi）の最大値を用いて、送信電力値を計算する。なお、送信電力制御部１０２ａが送信電力制御を行うタイミングとして、図８に示したメモリ部１０３に記憶された情報内容が更新されたタイミング等が挙げられる。
【００８２】
具体的には、送信電力制御部１０２ａは、メモリ部１０３に格納された、各子機２から送信される通知メッセージを受信した際の各伝播損失（Ｐppi）を読み出し、その最大値を選択する。親機１と通信が可能な各子機２は、後で説明する手順で親機１に送信電力値を通知する。なお、電力制御の機能を有しない各子機２の送信電力値は、製品の製造段階で親機１のメモリ部１０３に予め格納される。
【００８３】
本実施の形態では、最も親機１からの信号の受信信号レベルが弱い子機２にあわせて制御信号を送信するときの増幅部１０４ｂの増幅度を制御する。具体的には、親機１は、メモリ部１０３に格納された情報から、最も伝播損失が大きい子機２の伝播損失を読み出し、自らが送信する信号が相手(子機)に到達するレベルが所定のレベル以上になるように送信電力値を決定する。
【００８４】
送信電力制御部１０２ａは、最も親機からの信号のレベルが弱い子機２に関する伝播損失に受信電力基準値を加えた値に応じて、親機１が制御信号を送信するための送信電力値を計算する。なお、受信電力基準値は、親機１と子機２が通信を維持するため、または通信干渉を抑圧するために必要な受信電力値にマージンを加えた値である。
【００８５】
そして、送信電力制御部１０２ａは、計算した送信電力値で信号を送信するように増幅部１０４ｂを制御する。すなわち親機１が制御信号を送信するためのチャネル（制御チャネル）で制御信号を送信する際、増幅部１０４ｂは送信電力制御部１０２ａによって制御された送信電力値で制御信号を送信する。
【００８６】
図１０は、本実施の形態において、親機１が制御信号を送信するためのチャネル（制御チャネル）で制御信号を送信する時の信号到達エリアの調整の様子を示す図である。ＩＤ1の子機が送信する通知メッセージの受信電界強度を用いて計算した伝播損失をＰpp1、ＩＤ2の子機が送信する通知メッセージの受信電界強度を用いて計算した伝播損失をＰpp2、ＩＤ3の子機が送信する通知メッセージの受信電界強度を用いて計算した伝播損失をＰpp3とした場合、親機１における各子機（ＩＤ1, ＩＤ2, ＩＤ3）の伝播損失が、Ｐpp1＜Ｐpp2＜Ｐpp3であるならば、親機１は最大値Ｐpp3を用いて送信電力値を計算する。
【００８７】
これにより、親機１の遠方に存在し、伝播損失が大きい子機でも、通信を維持するために必要な受信電力値で、親機１から制御信号を送信するためのチャネル（制御チャネル）で送信される制御信号を受信することができる。また、親機１の送信電力値が低減されるので、他の無線通信システムへの電波干渉を抑えることができる。また、親機１から送信される制御信号の送信電力制御は、単位面積当たりのシステムの収容数を増やすためには非常に有効である。
【００８８】
次に、本発明の一実施の形態に係る子機２のメモリ部２０２に記憶される送信電力制御の為の情報について説明する。図９は、本発明の実施の形態に係る子機２のメモリ部２０２に記憶される情報を示す。図９に示すように、子機２のメモリ部２０２には、登録している親機１のＩＤ番号（ＩＤ-Ｍ）、親機１から送信される制御信号を受信した時に測定した受信電界強度（親機信号RSSIレベル：Ｍp）、親機１から送信される制御信号の受信電界強度の測定値と制御信号に乗せて通知された親機１の送信電力値を示す情報とから計算した自機と親機との間の伝播損失（Ｍ-loss）、子機２の送信電力値（ＰＷ-p）および子機２の送信電力値を親機１に通知した最新の通知時刻（ＴＭ-p）が記憶される。以下、図９に示したテーブルを子機側送信電力制御テーブルという。
【００８９】
子機２のレベル測定部２０３ａは、待機状態の時、親機１からの制御信号を受信する度に受信電界強度を測定し、受信電界強度の測定値を主制御部２０１に出力する。主制御部２０１は、制御信号の受信電界強度（Ｍp）をメモリ部２０２の子機側送信電力制御テーブルに記憶する。また、後述するように、主制御部２０１は、所定のタイミング（定期的または所定のイベント発生時に）で、子機２の送信電力値を親機１に通知する。
【００９０】
所定のイベントは、例えば子機２が充電台３から離れた時であり、そのときに子機２から親機１に送信される分離通知メッセージに乗せて子機２の送信電力値を親機１に通知する。また所定のイベントとしては、センサ付きの子機である場合は、センサが検知した時に子機２から親機１に送信される検知メッセージに乗せて子機２の送信電力値を親機に通知する。
【００９１】
すなわち、主制御部２０１は、タイマ部２０１ｂ（図１８に示す第１タイマ）によってカウントされる５分に１回の間隔で定期的に、受信電界強度（Ｍp）の測定値と親機１の送信電力値の情報から伝播損失（Ｍ-loss）を計算し、計算結果をメモリ部２０２の子機側送信電力制御テーブルに記録する。また、送信電力制御部２０１ａは、親機１にて正常な受信に必要とされる信号強度基準値（予め設定）と伝播損失に基づいて子機２の送信電力値（ＰＷ-p）を計算して子機側送信電力制御テーブルに書き込む。
【００９２】
そして、送信電力制御部２０１ａは、計算した送信電力値で信号を送信するように増幅部２０３ｂを制御する。すなわち、子機２が通知メッセージを送信する際、増幅部２０３ｂは、送信電力制御部２０１ａによって制御された送信電力値で制御信号を送信する。
【００９３】
主制御部２０１は、所定のタイミング（定期的または所定のイベント発生時に）で子機２の送信電力値を親機１に通知し、この送信電力値を含む通知メッセージを親機１に送信する度に、その時の通知時刻（ＴＭ-p）を子機２の送信電力値に対応付けて子機側送信電力制御テーブルに記録する。以上のように主制御部２０１の送信電力制御部２０１ａは、子機２が通知メッセージを送信するための送信電力値を計算し、子機側送信電力制御テーブルを更新する。
【００９４】
図１１は、親機１および子機２の送信電力値、受信電界強度、伝播損失、距離の関係を説明する図である。図１１において、Pftx は親機信号の送信電力値、Pprx は親機信号の子機における受信電界強度、Pptx は子機信号の送信電力値、Pfrx は子機信号の親機における受信電界強度である。
【００９５】
親機１の送信出力をPftx[dbm]、親機１からＬ[m]だけ離れた地点にいる子機２の受信電界強度をPprx[dbm]とした場合、親機１と子機２との間の通信路における伝播損失Plossfp [db]は次の式（１）から求められる。
Plossfp ＝ Pftx − Pprx    ・・・（１）
【００９６】
一方、子機２から送信された信号が親機１に届くまでの減衰量は、上記伝播損失Plossfp[db]にほぼ等しい。従って、親機１からL[m]だけ離れた地点にいる子機がPptx[dbm]の信号を出力した場合、親機１の受信電界強度Pfrx[dbm]は、次の式（２）から求められる。
Pfrx  ＝ Pptx − Plosspf
≒ Pptx − Plossfp
＝ Pptx − ( Pftx − Pprx )    ・・・（２）
【００９７】
以下、子機２が、送信する信号の送信電力値を決定する方法を、図１１を用いて説明する。図１１に示すように、受信側（親機１）で正常に受信可能な受信電界強度の下限値をＰthreshold[dbm]とした場合、子機２の送信電力値：Pptx は、親機１での受信電界強度がＰthreshold以上になるように決定される。即ち、まず親機１の受信電界強度Pfrxが次の式（３）を満たすように子機２の送信電力値を決定する。
Pfrx  ＞  Ｐthreshold    ・・・（３）
【００９８】
さらに、これらの式（２）および式（３）より、以下の式（４）が導かれる。子機２の送信電力値：Pptx は数４を満たす必要がある。
Pptx − ( Pftx − Pprx )  ＞  Ｐthreshold
Pptx − Ｐthreshold   ＞ Pftx − Pprx    ・・・（４）
【００９９】
仮に、子機２の送信電力値を、ハイパワーまたはローパワーの２レベルから選択する方式とした場合、ローパワー時の送信電力値Plow[dbm]は、以下の式（５）を満たすように設定される。
Plow − Ｐthreshold   ＞ Pftx − Pprx    ・・・（５）
【０１００】
以上のように、子機２が如何なる種類であっても、子機２は通知メッセージに乗せて自機の送信電力値を親機１に送信すれば、親機１は適切な送信電力制御が可能になるので、追加される子機の種類が増えても親機の構成を変えることなく送信電力制御を行うことができる。
【０１０１】
また、親機１は、子機ごとに送信電力制御を行うか否かと、既知である子機の最大送信電力値を記憶しているので、子機に送信電力制御機能が無く、常に、固定の送信電力値で動作する場合は、子機から送信電力値を通知するメッセージを受信しなくとも、イベント通知などの何らかの信号を受信することにより、親機１は適切な送信電力制御が可能になる。なお、後述の他の形態では、子機として通常の電話用子機の他に、センサ、カメラ等の機能を備えた多種の子機に対応できるようにしている。
【０１０２】
図１２は、待機中に親機１のローパワー通信エリアとハイパワー通信エリアを跨いで子機２が移動した時の送信電力制御の為の通知メッセージの送信を示す図である。
【０１０３】
本実施の形態では、親機１は、制御信号を送信するためのチャネル（制御チャネル）で送信電力値を示す情報を子機に報知し、子機２は独自メッセージ（以下、送信電力制御の為の通知メッセージと呼ぶ）により送信電力値を示す情報を親機１に通知することにより、制御信号の送信電力制御を実現する。
【０１０４】
待機状態の子機２は、制御信号の送信電力値を示す情報と、制御信号の受信電界強度より親機１との間の伝播損失を把握し、ハイパワーで通信するエリアにいるか、またはローパワーで通信するエリアにいるかを判断する。
【０１０５】
子機２は、所定の周期（約５分）で電力制御の為の通知メッセージを親機１に送信する他に、所定のイベント、例えば充電台から離れた時、ローパワー通信エリアとハイパワー通信エリア間を移動したとき、または、センサが反応したとき等に送信電力制御の為の通知メッセージを親機１に送信する。この際、子機２からの送信電力制御の為の通知メッセージは、送達確認なしの１スロットのＭｔ：escapeを使用して親機１に送信する。またその際の再送回数はイベントの種類または重要性に応じて調整される。
【０１０６】
主制御部２０１は、ローパワー通信エリアとハイパワー通信エリア間を移動した場合、子機２は送信電力制御の為の通知メッセージを親機１に送信する。親機１は、それぞれの子機２から送信される通知メッセージを乗せた無線信号を受信すると、その受信電界強度を測定して図８に示すように子機２毎に記憶し、各子機２との間の伝播損失を計算し、もっとも伝播損失が大きい子機２にあわせて制御信号の送信電力値を決定する。そして、親機１は、制御信号に乗せて送信電力値の情報を各子機２に報知する。例えば子機２が１台でもハイパワー通信エリアにいる場合は、親機１も送信電力値をハイパワーにして制御信号を送信する。
【０１０７】
即ち、親機１は、各子機２から通知メッセージによって通知された送信電力値を示す情報と、当該通知メッセージ受信時の受信電界強度とにより、各子機２までの伝播損失を計算する。そして、親機１は、最も大きい伝播損失がある（最も遠くに位置する、あるいは、電波が届きにくい環境にある）子機２に対応するように自機の送信電力値を決め、その送信電力値を示す情報を制御信号のＡフィールドのＰｔメッセージ、ＢフィールドのＭＢｎメッセージによって子機２に報知する。
【０１０８】
なお、エリア境界におけるパワー切り替えの頻発を防止するため、ハイパワーに切り替え後、一定時間はローパワーへの切り替えを禁止することが望ましい。この場合、ローパワーからハイパワーへの切り替えは即時行われる。
【０１０９】
図１３は、子機２におけるローパワーからハイパワーへの切り替え、および、ハイパワーからローパワーへの切り替への際の伝播損失と距離の関係、および子機２から親機１に送信する通知メッセージのタイミングを説明する図である。
【０１１０】
図１３において、縦軸は子機２にて予測した親機受信電界強度[dbm]、横軸は親機１と子機２との間の距離である。Ｐthresh HtoLは、ハイパワーで送信中の子機２がローパワーに切り替わるための親機１における受信電界強度予測値における閾値である。また、Ｐthresh LtoH は、ローパワーで送信中の子機２がハイパワーに切り替わるための親機１における受信電界強度予測値における閾値である。子機２は、待機状態において、親機１から制御信号に乗せて送信される親機１の送信電力値を示す情報と、親機１からの信号の実際の受信電界強度の測定値に基づいて判定した子機２と親機１との間の信号減衰値（双方の距離に相当）を計算する。
【０１１１】
そして、子機２は、その計算結果と、その時の自機の送信電力値に基づいて前述の親機１の受信電界強度の予測値：Ｒpre を演算によって求める。次の式（６）は、例えば、子機２がローパワー時における親機１の受信電界強度の予測値：Ｒpre (low)を示す。
Ｒpre (low) ＝ Plow − （ Pftx − Pprx ）    ・・・（６）
Pftx：親機信号の送信電力値
Pprx：親機信号の子機における受信電界強度
Plow：子機のローパワー時の送信電力値
【０１１２】
また、次の式（７）は、子機２がハイパワー時における親機１の受信電界強度の予測値：Ｒpre (hi)を示す。
Ｒpre (hi) ＝ Phigh − （ Pftx − Pprx ）    ・・・（７）
Pftx：親機信号の送信電力値
Pprx：親機信号の子機における受信電界強度
Phigh：子機のハイパワー時の送信電力値
【０１１３】
図１３の例では、ローパワーで送信中の子機２が親機１の近傍から遠ざかる方向に移動する場合、所定の時点で子機２の送信電力値はローパワーからハイパワーに切り替わる。即ち親機１の近傍より遠ざかる子機２にて計算された親機１の受信電界強度の予測値が［１］から［２］に向かって変化し、この受信電界強度の予測値がＰthresh LtoHに達した時に、子機２は送信電力値をローパワーからハイパワーに切り替える（［２］→［３］）。その後、さらに子機２がそのまま遠ざかる方向に移動すると、親機１の受信電界強度の予測値は［３］から［４］に向かって変化する。
【０１１４】
一方、子機２が親機１の遠方より近づく方向に移動する場合、子機２の送信電力値は、ハイパワーからローパワーに切り替わる。即ち、子機２にて計算された親機１の受信電界強度の予測値は図１３の［４］から［５］に向かって変化し、この受信電界強度の予測値がＰthresh HtoLに達した時に子機２は送信電力値をハイパワーからローパワーに切り替える。そして、子機２がそのまま近づく方向に移動すると親機１の受信電界強度の予測値は［６］から［１］に向かって変化する。
【０１１５】
すなわち、子機２は、ローパワーで送信中に次の式（８）に該当する状態になった時にハイパワーに切り替える。
Ｒpre (low)  ＜  Ｐthresh LtoH    ・・・（８）
【０１１６】
また、子機２は、ハイパワーで送信中に次の式（９）に該当する状態になった時にローパワーに切り替える。
Ｒpre (hi)  ＞  Ｐthresh HtoL    ・・・（９）
【０１１７】
ここで、Ｐthresh HtoL をＰthresh LtoH より十分に高い値に設定することにより、子機２がハイパワーで送信中である場合には、その子機２が親機１の方に接近していく過程で、ハイパワー時の親機受信電界強度の予測値：Ｒpre (hi)が十分に高くなってからローパワーに切り替わるようにすることができる。このように、ハイパワーからローパワーへの切り替えの閾値と、ローパワーからハイパワーへの切り替えの閾値を個別に設けることにより、ローパワーとハイパワーへの境界付近での送信電力値の切り替えの多発を防ぐことができる。
【０１１８】
なお、図１３に示すように、子機２は所定の周期（約５分）で送信電力制御の為の通知メッセージを親機１に送信するときには、送達確認なしの１スロットのＭｔ：escapeを使用する。子機２が親機１に送信する送信電力制御の為の通知メッセージは、その時の子機２の送信電力値を示すもの（［２］→［３］）、送信電力制御の為の通知メッセージを連続的に繰り返し送信し、その再送回数は３回程度である。また、再送回数は、イベントの種類または重要性に応じて調整される。
【０１１９】
図１４は、親機１と子機２の送待機中の送信電力制御の為の通知メッセージの通知を説明する図である。
【０１２０】
親機１の子機２への送信電力値の通知は、制御信号として送信する制御信号（Dummy Bearer）を使用し、通知用のメッセージはＤＥＣＴ規格で規定されたＭＡＣレイヤのＰｔメッセージ（RFP power level）を使用する。また、送信方法として、制御信号（Dummy Bearer）のＢフィールドを使用した、送達確認を必要としないConnectionless Bearer（Long）の方式を使う。親機１は、Connectionless Bearer にＰｔメッセージを乗せて子機２に送信する。
【０１２１】
複数種ある子機の中の電話用子機のように640msec周期でフレーム番号が０のフレームのＡフィールドを待受けるタイプの子機（以下、Ａフィールド待受け子機と呼ぶ）に対しては、親機１はＡフィールドで送受信されるＰｔメッセージを用いて送信電力値を通知する。
【０１２２】
図１４における子機２は、Ａフィールド待受け子機である。Ａフィールド待受け子機宛に送信電力値の通知を行うＰｔメッセージの送信周期とタイミングは、ＭＡＣレイヤによって決定され、他のＰｔメッセージと共にスケジューリングされ一定周期で送信される。
【０１２３】
なお、カメラ機能付き子機のようにシステムに応じた特定のフレーム番号のＢフィールドを待受ける子機（以下、Ｂフィールド待受け子機と呼ぶ）に対しては、Ｂフィールドで送受信されるＭＡＣレイヤ Ｂ-field messagesを用いて送信電力値を通知する。Ｂフィールド待受け子機宛への送信電力値の通知を行うＭＡＣレイヤ Ｂ-field messagesの送信周期とタイミングは、送信電力制御部より指定し、ＭＡＣレイヤは指定された送信周期とタイミングに合わせてメッセージを送信する。
【０１２４】
子機２の無線部２０３は、親機１からＭＡＣレイヤのＰｔメッセージ（RFP power level）を使って送信される親機１の送信電力値を示す情報を受信した時、その情報を、当該Ｐｔメッセージを受信した際の受信電界強度とともに主制御部２０１に通知する。また、無線部２０３は、親機１からＭＢｎ:escapeを使って送信される親機１の送信電力値を示す情報を受信した時についても、その情報を当該ＭＢｎ:escapeを受信した際の受信電界強度とともに主制御部２０１に通知する。主制御部２０１はこれらの情報に従って図９に示した子機側送信電力制御テーブルを更新する。
【０１２５】
子機２において送信電力値を示す情報を送信する必要が生じた場合、主制御部２０１は、その情報を親機１に１回のみ送信するように無線部２０３に指示する。無線部２０３は、Ｍｔ:escapeを使って、１スロットで完結する電力制御の為の情報を乗せた通知メッセージを親機１に送信する。
【０１２６】
親機１の無線部１０４は、子機２からＭｔ:escapeを使って送信される通知メッセージの子機２の送信電力値を示す情報を当該通知メッセージの信号受信電界強度とともに主制御部１０２に通知する。主制御部１０２は、これらの情報に従って図８に示した親機側送信電力制御テーブルを更新する。
【０１２７】
なお、子機２から親機１への送信電力値の通知は、生存確認を兼ねており、待機中ではConnectionless Bearer(short）と呼ばれる信号を使用して行われる。これも前述同様に送達確認を必要としない方式である。図１５は、複数の子機（子機２ａ、子機２ｂ・・・子機２ｎ）が所定の周期で送信電力制御の為の通知メッセージを親機１に送信することを示すタイミングチャートである。
【０１２８】
各子機の主制御部２０１（送信電力制御部）は、ハイパワー通信エリアとローパワー通信エリア間を移動した際に送信電力値の通知を行う他、図１５に示すように所定の周期（約５分）で送信電力制御の為の通知メッセージを親機１に送信する。電話子機のようにＣＰＵの電源が常時Ｏｎ状態で動作する子機では、主制御部２０１（送信電力制御部）は、タイマ等を使用して一定周期で送信電力値の通知を行う。また、カメラ機能付き子機のようにＵＬＥ制御によって間欠受信中にＣＰＵの電源がＯｆｆとなる子機では、主制御部２０１（送信電力制御部）は、親機１からの生存確認要求の受信を契機に送信電力値の通知を行う。このように、所定の周期での送信電力制御の為の通知をすることにより、送信電力制御の手順は子機の生存確認も兼ねている。
【０１２９】
次に、子機２において送信電力値を示す情報を送信する必要が生じ場合の動作を詳細に説明する。主制御部２０１は、待機中に送信電力値を示す情報を送信する必要が生じると、制御信号が送信されると予測されるスロット／周波数を選択し、そのスロットから始めて２スロット連続のキャリアセンスを行う。そして、主制御部２０１は、親機１から送信される制御信号（Dummy Bearer）を受信すると、その信号から得られた情報に基づいて、制御信号を受信したスロットに対して所定の関係にある１つのスロットを送信スロットとして決定する。すなわち親機１のPrimary receiver Scanのタイミングにあわせて、子機２が送信する為のスロットを決定する。
【０１３０】
そして、子機２の主制御部２０１は、親機１のPrimary receiver Scanのタイミングにあわせた送信スロットを使って、１スロットで完結する送信電力制御の為の通知メッセージすなわちその時の自機の送信電力値を示す情報を通知するためのＭｔ：escapeを送信する。
【０１３１】
また、通信中において、子機２から親機１への送信電力値の通知は通信チャネル（Traffic Bearer）を使用して行われる。また、子機２が通信チャネル（Traffic Bearer）を起動する時のＭｔ：access request の送信時においても、同様に１スロットで完結する信号（Connectionless Bearer(short）)を使用して送信電力制御の為の通知メッセージを親機１に送信する。
【０１３２】
なお、子機２は、通話中に送信電力値を示す情報を送信する必要が生じ場合にも、１スロットで完結する信号（Connectionless Bearer(short）)を使用して送信電力制御の為の通知メッセージを親機１に送信する。この場合、子機２は、通信中のTraffic BearerのＡフィールドを使ってＭｔ：escapeを送信することによって送信電力値を示す情報を通知する。
【０１３３】
図１６は、待機中の生存確認（死活監視）の為のために送信電力値の通知メッセージを利用する場合を説明する図である。親機１は、干渉による通信障害の検知のために、定期的に親機１と子機２との間で通信を行う生存確認による死活監視を行う。
【０１３４】
前述のように子機２は、一定間隔で送信電力制御の為の通知メッセージを送信し、親機１で制限時間内に子機２からの通知メッセージが受信できなかった場合、親機１は、自機の送信電力制御を停止し、送信電力値を最大値（ハイパワー）に切り替える。
【０１３５】
具体的には、図１６に示すように、ＵＬＥの間欠受信を行わない子機（電話子機などのＡフィールド待受け子機）は、スリープ状態でも親機１に同期しており、また子機２の主制御部２０１のタイマ機能が働いて、一定間隔（約約５分に一度の周期）で送信電力制御の為の通知メッセージの送信を行う。親機１は、この通知メッセージを受信することにより、子機２の生存を確認することができる。
【０１３６】
また、親機１は、ＵＬＥの間欠受信を行う子機（カメラ機能付き子機などのＢフィールド待受け子機）の間欠受信タイミングに合わせて、所定の周期で生存確認要求を送信する。この生存確認要求は、ＵＬＥの間欠受信を行う子機２に対して送信電力制御するための情報の送信を促す役割がある。
【０１３７】
ＵＬＥの間欠受信を行う子機２は、親機１が生存確認要求の送信を開始する時刻に合わせて無線部２０３を起動して親機１を探索する動作を行い、親機１が発する制御信号を受信すると、当該親機１から送信される生存確認要求を受信し、その受信を契機に送信電力制御の為の通知メッセージを送信する。または、子機２は、親機１が発する制御信号の中に生存確認要求が含まれている場合には、制御信号を受信した時点で親機１からの生存確認要求を確認し、送信電力制御の為の通知メッセージを送信する。
【０１３８】
尚、ＵＬＥの間欠動作を行う子機２は、間欠動作の合間のスリープ状態では無線部２０３の受信動作を停止させる。また、子機２の主制御部２０１のタイマ機能も働いていないので、親機１は、子機２の間欠受信タイミングに合わせて生存確認要求を送信する。
【０１３９】
親機１の主制御部１０２（送信電力制御部）は、ある子機２から送信電力制御の為の通知メッセージを一定時間（調整値）以上受信できなかった場合にハイパワーに切り替える。その後、更に一定時間（調整値）、当該子機２からの通知メッセージを受信できなかった場合、該当子機２が電話用子機または画像モニタ機能付き子機のようなＡフィールド待受け子機であれば、親機１の当該子機２を送信電力制御の計算対象より外す。なお、親機１から子機２への生存確認要求の動作では、親機１は調整値で指定された回数の再送を行う。
【０１４０】
なお、子機２の電源に余裕がある場合には、子機２の主制御部２０１（送信電力制御部）は、親機１からの送信電力制御の為の通知メッセージを一定時間は探索する動作を行い、一定時間（固定値：１０分程度）以上受信できなかった場合に子機２の送信電力値をハイパワーに切り替えるようにしても良い。
【０１４１】
図１７は．通話中に通話チャネルにおける送信電力制御を説明する図である。通話中の通信チャネル（Traffic Bearer）における送信電力制御は、通話チャネルの受信電界強度と送信電力制御の為の通知メッセージを使用して送信電力値を示す情報をやり取りする。
【０１４２】
通話開始によって通信チャネル（Traffic Bearer）が起動されると、親機１と子機２のＭＡＣレイヤは定期的に通信チャネル（Traffic Bearer）の受信電界強度を上位レイヤに通知し、上位レイヤ経由で受信電界強度の情報が送信電力制御部に通知される。例えば、親機１の主制御部１０２（送信電力制御部）は、通知された受信電界強度に従い、親機１の送信電力値を切り替える。通話中の親機１からの送信電力値を示す情報は、通信チャネル（Traffic Bearer）のＡフィールドのＰｔメッセージで通知される。すなわち、親機１は、制御信号（Dummy Bearer)のＡフィールドで送信するＰｔメッセージと同じものを通信チャネル（Traffic Bearer）のＡフィールドを用いて送信する。親機１は、自機の送信電力値の情報をこのＡフィールドに乗せて子機２に送信する。
【０１４３】
また、子機２の主制御部２０１（送信電力制御部）は、無線部２０３から受信電界強度の測定値を示す情報を受信する毎に子機２の送信電力値を切り替え、子機２の最新の送信電力値を示す情報を親機１に送信する。このように、受信電界強度の情報を得ることを契機に送信電力制御の為の通知メッセージを送信することにより、カメラ機能付き子機やセンサ子機のようにＵＬＥ間欠動作対応の子機２に対しても、通信中は、短周期で送信電力制御の為の通知メッセージが親機１に通知される。したがって、親機１は、必ずしも通信開始時に送信電力制御の為の通知メッセージ送信要求を行う必要はなく、通信中に送信電力値を切り替えた場合に、送信電力制御の為の通知メッセージを送信すれば良い。
【０１４４】
通信中の受信電界強度の検知には、以下の動作パターンが有る。
【０１４５】
親機１のＭＡＣレイヤは、子機２からＭｔ：escapeにより子機２の送信電力値を示す情報を受信した時、当該Ｍｔ：escapeを受信した際の受信電界強度を主制御部１０２に通知する。また、親機１のＭＡＣレイヤは、通信チャネル（Traffic Bearer）が起動されると、一定周期で通信チャネルの受信電界強度を主制御部１０２に通知する。
【０１４６】
なお、旧式の送信電力制御未対応の子機２が登録された時には、子機２からＭｔ：escapeによる子機２の送信電力値を示す情報を受けることは無い。この場合、親機１は、一定周期で通信チャネルの受信電界強度を検知しながら自親の送信電力値を制御する。
【０１４７】
また、親機１のＭＡＣレイヤは、子機２からConnectionless Bearer(Long）により、子機２の送信電力値を示す情報を受信した時にも、当該Connectionless Bearer(Long）を受信した際の受信電界強度を親機１の主制御部１０２に通知する。
【０１４８】
電話用子機やモニタ機能付き子機のようなＡフィールド待受け子機（640msec周期で所定のレームのＡフィールドを待受ける）が通信相手の場合、親機１は一定時間（例えば２４時間）以上受信できなかったときには当該子機２を送信電力制御の計算対象より外す。このように長時間受信できない子機２を送信電力制御の計算対象より外すことにより、親機１は、動作を完全に停止した子機２があっても、それを無視して送信電力制御を行うことができる。
【０１４９】
また、子機２においても、ＭＡＣレイヤは、通信チャネル（Traffic Bearer）が起動されると、一定周期で通信チャネル（Traffic Bearer）の受信電界強度を主制御部２０１に通知する。通信相手が旧式の送信電力制御未対応の親機１であるときには、親機１からＭｔ：escapeによる送信電力値を示す情報を受けることは無い。このため、子機２は、一定周期で通信チャネル（Traffic Bearer）の受信電界強度を検知しながら自機の送信電力値を制御する。
【０１５０】
なお、カメラ機能付き子機やセンサ子機のようなＵＬＥの間欠受信を行う子機（Ｂフィールド待受け子機）は、親機１に確実に検知情報を伝える必要があり、たとえ受信電界強度が小さくても無視することはできないので、通知メッセージを一定時間（調整値）以上受信できなくても当該子機２を送信電力制御の計算対象より外すことはしない。この点については、後で詳細に説明する。
【０１５１】
次に、上述した無線通信装置の動作例について説明する。図１８は、子機２が親機１に同期して動作する一例を示すフローチャートである。
【０１５２】
まず、図１８において、親機１に電力が供給されて動作を開始すると待機モードを起動し、ステップ１０１（以下、「ＳＴ」と省略する）では、親機１は、制御信号の送信を開始する。さらに、親機１は、ＳＴ１０２において、制御信号を送信するスロットに対して所定の時間位置の関係にある受信用スロットにて各子機２からの応答信号を受信する動作を開始する。なお、親機１は、送信する制御信号の中に同期情報および自機の送信電力値の情報を挿入して送信する。
【０１５３】
図１８において、ＳＴ２０１では、子機２も、電源スイッチ（図示せず）がオンにされると（ＳＴ２０１）、主制御部２０１および各部に電力が供給される。主制御部２０１は、無線部２０３に指示を出して親機１からの信号を連続して探す（オープン探索）ための受信動作を開始する。また、主制御部２０１は、クロックをカウントするタイマ部２０１ｂによりオープン探索の為の第１タイマおよび周期的な通信動作を制御する為の第２タイマを起動する（ＳＴ２０２）。
【０１５４】
ＳＴ２０３において、無線部２０３にて親機１からの制御信号が受信されると（ＳＴ２０３：ＹＥＳ）、フローはＳＴ２０５に進む。親機１からの制御信号が受信されていない場合は（ＳＴ２０３：ＮＯ）、フローはＳＴ２０４に進む。
【０１５５】
ＳＴ２０４において、主制御部２０１は、オープン探索の為の第２タイマが満了したか否かを判断する。ＳＴ２０４の判断の結果、第２タイマが満了していない場合（ＳＴ２０４：ＮＯ）、フローはＳＴ２０３に戻る。一方、ＳＴ２０４の判断の結果、第１タイマが満了した場合（ＳＴ２０４：ＹＥＳ）、フローはＳＴ２１２に進み、「親機１を確認できません」のメッセージを表示する。その後、通信機能をＯｆｆにし、スリープ状態に移行する（ＳＴ２１７）。
【０１５６】
ＳＴ２１８において、主制御部２０１は間欠動作の為の第１タイマが満了したか否かを判断する。第１タイマは約５分毎に満了する。第１タイマが満了していない場合（ＳＴ２１８：ＮＯ）、第１タイマが満了するまでスリープ状態が維持される。第１タイマが満了した場合（ＳＴ２１８：ＹＥＳ）、フローはＳＴ２０１に戻り、通信動作が開始され、親機１からの信号を連続して探すための受信動作が開始される。
【０１５７】
以下、子機２が親機１に通知メッセージを送信する動作について説明する。
【０１５８】
ＳＴ２０３において、無線部２０３にて親機１からの制御信号が受信されると（ＳＴ２０３：ＹＥＳ）、ＳＴ２０５において主制御部２０１は制御信号によって送信された同期情報を取得し、ＳＴ２０６において同期情報に従って親機１との間でＴＤＭＡ同期を確立し、親機１からの制御信号を受信しながら同期状態に入る。そして主制御部２０１は、ＳＴ２０７においてＤＥＣＴによる通信が可能であることを意味する表示をする。待機状態では、子機２は、図１４に示したように、親機１からの制御信号（Dummy Bearer）を受信しながら同期状態を維持する。
【０１５９】
親機１は、前述のように送信する制御信号の中に、同期の為の情報に他に、親機１の送信電力値の情報を挿入している。主制御部２０１は、同期状態に入るとＳＴ２０８において定期的な子機側送信電力決定手順の実行を開始する。
【０１６０】
ＳＴ２０８の子機側送信電力決定手順において、主制御部２０１は、図１４に示したように親機１から制御信号により送信される親機１の送信電力値を示す情報を取り込む。また、主制御部２０１は、親機１からの制御信号の受信信号レベルを測定する。そして、主制御部２０１は、親機１の送信電力値および受信信号レベルの測定値をメモリ部２０２に設けられた子機側送信電力制御テーブルに記録（または更新）する。また、主制御部２０１は、親機１の送信電力値及び受信信号レベルの測定値により伝播損失を求め、メモリ部２０２に設けられた子機側送信電力制御テーブルに記録（または更新）する。
【０１６１】
また、主制御部２０１は、ＳＴ２０９において、自機の送信電力値を決定し、親機１に通知する。また、主制御部２０１は、親機１に対してその他必要な種々の通知メッセージ、例えばエラー情報などを親機１に対して通知する。
【０１６２】
また、主制御部２０１は、ＳＴ２１０において、そのときに子機２において何らかのイベントが発生した場合は、例えば、子機２のユーザが発信の操作をした場合、あるいは、親機１からの制御信号によって固定電話網からの着信があることを示す情報が送信された場合には応答信号などを送信する。また、主制御部２０１は、子機２に設けられたセンサ等が何らかの反応を示した場合などにも、そのイベントに関する情報を親機１に対して送信する。
【０１６３】
ＳＴ２１１において、主制御部２０１は、親機１からの制御信号を受信できない場合（ＳＴ２１１：ＮＯ）、フローは前述のＳＴ２１２に進む。ＳＴ２１１において、主制御部２０１は、ＤＥＣＴによる通信が不可能になったと判断して、表示部２０５に「ＤＥＣＴ非接続」を意味する表示をする。例えば、図２３に示すように、「ＤＥＣＴ」文字の隣のアンテナマークに重ねて「×」を表示する。
【０１６４】
主制御部２０１は親機１からの制御信号を受信できた場合（ＳＴ２１１：ＹＥＳ）、フローはＳＴ２１３に進む。ＳＴ２１３において、主制御部２０１は間欠動作の為の第１タイマが満了したか否かを判断する。第１タイマが満了していない場合（ＳＴ２１３：ＮＯ）、ＳＴ２１１において主制御部２０１は親機１からの制御信号の監視を継続する。ＳＴ２１３において、第１タイマが満了した場合（ＳＴ２１３：ＹＥＳ）、フローはＳＴ２１４に進む。
【０１６５】
ＳＴ２１４において、主制御部２０１は、前述のＳＴ２０８と同様に、子機側送信電力決定手順を実行する。また、主制御部２０１は、親機１から制御信号により送信される親機１の送信電力値を示す情報を取り込み、親機１からの制御信号の受信信号レベルを測定する。そして、主制御部２０１は、親機１の送信電力値および受信信号レベルの測定値によりメモリ部２０２に設けられた子機側送信電力制御テーブルを更新する。
【０１６６】
また、主制御部２０１は、ＳＴ２１５において自機の送信電力値を決定して親機１に通知し、親機１に対してその他必要な種々の通知メッセージを通知する。
【０１６７】
また、主制御部２０１は、ＳＴ２１６において、そのときに子機２において何らかのイベントが発生した場合（ユーザが発信の操作、着信に対する応答操作、子機が充電台から離れた時、子機のセンサが検知した時など）に、そのイベントに関する情報を親機１に対して送信する。なお、図では示さないが、固定電話網を介した音声通話が開始された場合は、主制御部２０１は、上り／下りでそれぞれ１スロットを使って親機１との間で音声データの送受信を行う。
【０１６８】
なお、親機１は、ＳＴ１０３において、子機２からのイベントに関する通知メッセージを受信する。また、親機１は、固定電話網からの着信があった場合には子機２に着信情報を送信する。また、固定電話網を介した音声通話が開始された場合は、子機２との間で上り／下りでそれぞれ１スロットを使って音声データの送受信を行う。
【０１６９】
ＳＴ１０４において、親機１は常時、親機側送信電力決定手順を行っている。親機側送信電力決定手順において、主制御部１０２は、子機２からの通知メッセージにより送信される子機２の送信電力値を示す情報を取り込む。またレベル測定部１０４は、子機２からの通知メッセージの受信信号レベルを測定し、この情報に基づいて主制御部１０２は、子機毎に、これら子機２の送信電力値を示す情報および受信信号レベルの測定値をメモリ部１０３に設けられた親機側送信電力制御テーブルに記録（または更新）する。
【０１７０】
また、親機１は、子機２の状態を把握し、例えば子機２から送信されるイベントに関する情報、その他種々の通知メッセージ（例えばエラー情報など）を受信してテーブルに記録する。
【０１７１】
また、親機１は、ＳＴ１０５において、自機の送信電力値を決定し、子機２に通知する。
【０１７２】
また、親機１は、ＳＴ１０６において、親機１からの要求に対して、登録された全ての子機２から応答があるか否かを判断する。親機１からの要求に対していずれかの子機２が応答しない場合（ＳＴ１０６：ＮＯ）、親機１は、ＳＴ１０７において、メモリ部１０３の登録情報記録部の中の子機状態管理部の情報を更新し、当該子機２について「応答無し」のフラグを立てる。そして、親機１は、ＳＴ１０８において、送信電力を最大にする。また、ＳＴ１０６において、親機１からの要求に対して全ての子機２から応答があった場合（ＳＴ１０６：ＹＥＳ）、フローはＳＴ１０１に戻る。
【０１７３】
このようにして、お互いの信号が届く範囲内では、子機２が親機１に同期して通信し、子機２が親機１から離れて、親機１からの制御信号の受信信号レベルが低下し、メモリ部１０３のテーブルの伝播損失が所定値以下に低下した場合、親機１は最大電力で信号を送信することになる。
【０１７４】
なお、ＳＴ２１１において、親機１からの制御信号が正常に受信できない場合、主制御部２０１は前述のように表示部２０５に「ＤＥＣＴ非接続」を意味する表示をしたうえで、通信機能をＯｆｆにし、スリープ状態に移行する（ＳＴ２１７）。そして、ＳＴ２１８において間欠動作の為の第１タイマが満了したか否かを判断し、第１タイマが満了していない場合（ＳＴ２１８：ＮＯ）、第１タイマが満了するまでスリープ状態が維持される。
【０１７５】
第１タイマが満了した場合（ＳＴ２１８：ＹＥＳ）、フローはＳＴ２０１に戻り、通信動作が開始される。すなわち、親機１からの制御信号が正常に受信できない場合、第１タイマが満了するほぼ５分間隔で間欠的な受信動作を行う。
【０１７６】
このように、子機２が信号到達圏外になった場合、または何らかの原因で親機１にからの信号が正常に受信できない場合は、子機２の主制御部２０１は、親機１を連続的に探索することはせず、第１タイマによって規定されるインターバルで起動され、親機１を探索してスリープ状態に入るという間欠的通信モードに切り替わる。
【０１７７】
なお、以上の例では子機２は、親機１との通信ができなくなった後は第１タイマによって規定される約５分の周期で親機１を探索する動作を行っているが、さらに所定の期間が経過した後はインターバルの周期を長く変更してもよい。
【０１７８】
すなわち、子機２は、親機１との通信ができなくなった後では第１タイマによって規定される所定の周期（第１の所定の周期）で親機１を探索し、その後、次に来る所定の期間が経過した時に第１タイマの満了値を変更し、第１の所定の周期より長い満了値（第２の所定の周期）を第１タイマに設定する。
【０１７９】
以上のように本実施の形態によれば、親機１に複数の子機２が登録されている場合であっても（たとえば子機２ａ、子機２ｂ、子機２ｃ）、親機１は、各子機２の送信電力値と各子機２からの通知メッセージの受信電界強度とに基づいて各子機２との間の伝播損失を計算し、最も遠い子機２にあわせて自機の送信電力値を決定する。したがって、ある子機２が親機１の遠方に離れても、親機１は、その子機２に合わせて通信を維持できる必要最小限の送信電力値で制御信号を送信するので、他の無線通信システムへの電波干渉を極力抑えながら、全ての子機２との通信を維持することができる。
【０１８０】
子機２は、親機１からの制御信号の受信電界強度と親機１の送信電力値とから親機１との間の伝播損失を計算し、自機の送信電力値を決定し、子機側送信電力制御テーブルの情報を更新する。そして、子機２は、定期的に子機側送信電力制御テーブルの情報に記憶された送信電力値を親機１に通知する。これにより、子機２の消費電力を抑えて電池を長持ちさせ、また他の無線通信装置への電波干渉を極力抑えることができる。
【０１８１】
また、子機２は、待機状態において、一定周期（例えば５分）で、親機１に自機の送信電力値を示す情報を乗せた通知メッセージを送信する。加えて、ある子機２が移動し、当該子機からの通知メッセージが十分なレベルで親機１に届かなくなった場合でも、当該子機２は、送信電力値をハイパワーに切り替えた場合にはその直後に自機の送信電力値を示す情報を乗せた臨時の通知メッセージを親機１に送信する。このように、子機２から定周期で送信される通知メッセージおよび臨時の通知メッセージにより、親機１は、子機２を把握できなくなる前に子機２からの通知メッセージに応じて親機１の送信電力値を上げることができる。
【０１８２】
なお、親機１から発呼する場合や、または子機２から発呼する場合に、子機２から親機１に通信開始要求が送信され、これに対して親機１から子機２に通信開始要求の受領信号が送信される。子機２は、受領信号の受信電界強度を測定する。
【０１８３】
また、親機１は、一定期間、子機２からの通知メッセージが来なかった場合、親機１の送信電力値をハイパワーに切り替える。この制御により、無線の空きリソースなし等の何らかの理由で子機２から親機１に通知メッセージが送信できなくなった場合には、一定時間経過後に親機１は送信電力値をハイパワーに切り替える。したがって、例えば、親機１がローパワーで動作し、しかも子機２がローパワーのまま親機１から離れて、ハイパワーで送信すべきエリアにまで移動したような状態であっても、親機１が子機２を把握できない（圏外状態）状態になる危険を低減することができる。
【０１８４】
また、親機１は、一定時間以上、ある子機２からの通知メッセージが来なかった場合、該当子機を無視して送信電力値の決定を行うように制御する。これにより、ある子機２が故障や紛失等の理由で、未使用の状態になった場合に、該当子機２が登録削除されなくても、該当子機２の状態を無視し、親機１は他の子機２にあわせて送信電力値を切り替えることができる。
【０１８５】
また、子機２がＵＬＥ機能を備えたものである場合、子機２は、通常の無線リンクの形成を行わず、子機２から親機１に送信電力値を通知するための通知メッセージを、１つのスロットのみで送信する。これにより、子機２の送信電力値を通知するために要する子機２の消費電力および無線リソースの無駄使いを低減できる。
【０１８６】
以上で、実施の形態１における子機２が親機１に同期して、双方の送信電力制御が開始されるまでの動作の説明を終える。
【０１８７】
次に、子機２の送信電力制御手順について、図１９を用いて詳細に説明する。
【０１８８】
図１９において、ＳＴ３０１では、子機２が親機１から送信される制御信号を受信する為のオープン探索を実行する。親機１からの制御信号が受信されると（ＳＴ３０１：ＹＥＳ）、フローはＳＴ３０２に移行する。親機１からの制御信号が受信されていない場合は（ＳＴ３０１：ＮＯ）、前述のようにオープン探索の為の第２タイマが満了したか否かを判断し、第２タイマが満了しない間は（ＳＴ３１６：ＮＯ）、フローはＳＴ３０１に戻る。
【０１８９】
ＳＴ３０２では、子機２は制御信号の受信電界強度を測定し、さらにその受信電界強度の測定値と当該制御信号に乗せて送信されてきた親機１の送信電力値とに基づいて、伝播損失を判定し、子機が送信する際の送信電力値を計算する。
【０１９０】
ＳＴ３０３では子機２のメモリ部２０２に記憶された子機側送信電力制御テーブルにおいて、送信電力値を更新するとともに、親機１に対して、Ｍｔ：escape によって送信電力値を通知する。ＳＴ３０４では、子機２は、更新した子機側送信電力制御テーブルにおける送信電力値に基づいて送信電力制御を開始する。
【０１９１】
ＳＴ３０５では、子機２は親機１から送信される制御信号を毎回、あるいは所定の周期で定期的に受信しながら、親機１に同期した待機状態に入る。
【０１９２】
ＳＴ３０６では、子機２は、親機１から通信開始要求があるか否かを判定し、通信開始要求がある場合（ＳＴ３０６：ＹＥＳ）、フローはＳＴ３０８に移行し、通信開始要求がない場合（ＳＴ３０６：ＮＯ）、フローはＳＴ３０７に移行する。
【０１９３】
ＳＴ３０７では、子機２が親機１と同期している状態での電力制御のインターバルを規定する第３タイマを管理する。第３タイマは、前回、子機側送信電力制御テーブルを更新した時に起動し、所定の時間が経過すると満了する。ＳＴ３０７にて第３タイマが満了するまでは子機２は子機側送信電力制御テーブルを更新せず、第３タイマが満了した時（ＳＴ３０７：ＹＥＳ）、フローはＳＴ３０２に戻り、子機２は最新の制御信号の受信電界強度と親機の送信電力値とに基づいて、伝播損失を判定し、子機側送信電力制御テーブルを更新する。
【０１９４】
ＳＴ３０６にて、通信開始要求がある場合（ＳＴ３０６：ＹＥＳ）、フローはＳＴ３０８に移行し、子機２は、その時の最新の制御信号の受信電界強度と親機の送信電力値とに基づいて、伝播損失を判定し、子機が送信する際の送信電力値を計算する。そして、ＳＴ３０９にて、子機２は、メモリ部２０２に記憶された子機側送信電力制御テーブルを更新するとともに、親機１に対して、待機状態と同じＭｔ：escape によって送信電力値を通知する。ＳＴ３１０では、子機２と親機１は互いに通信するためのチャネルを形成し、通信状態に入る。
【０１９５】
ＳＴ３１１では、子機２は親機１との通信を終了するための通信終了要求があるか否かを判定し、通信終了始要求がある場合（ＳＴ３１１：ＹＥＳ）、フローはＳＴ３１３に移行し、通信開始要求がない場合（ＳＴ３１１：ＮＯ）、フローはＳＴ３１２に移行する。
【０１９６】
ＳＴ３１２も前述のＳＴ３０７と同様に、同期状態での電力制御のインターバルを規定する第３タイマを管理する。第３タイマは前回、子機側送信電力制御テーブルを更新した時から所定の時間が経過すると満了する。第３タイマが満了した時（ＳＴ３１２：ＹＥＳ）、フローはＳＴ３０８に戻り、子機２は、最新の制御信号の受信電界強度と親機の送信電力値とに基づいて、伝播損失を判定し、子機側送信電力制御テーブルを更新する。
【０１９７】
ＳＴ３１１にて通信終了始要求がある場合（ＳＴ３１１：ＹＥＳ）、フローはＳＴ３１３に移行し、子機２は、この場合もその時の最新の制御信号の受信電界強度と親機の送信電力値とに基づいて送信電力値を計算する。ＳＴ３１４にて、子機２は、メモリ部２０２に記憶された子機側送信電力制御テーブルを更新し、親機１に対して待機状態と同じＭｔ：escape によって送信電力値を通知する。その上で子機２は親機１との通信を終了する（ＳＴ３１５）。
【０１９８】
なお、子機送信電力制御では、通信中と待機中とでは第３タイマが満了値を変えず、一定周期で電力制御の情報を更新しても良い。
【０１９９】
このように、子機２は、親機１から送信された制御信号の受信電界強度を測定し、測定した受信電界強度で更新した子機側送信電力制御テーブルに基づいて、送信電力値を決定して、電力制御を行う。これにより子機２は、他の無線通信装置に対する電波干渉を極力抑えながら、必要最小限の電力で親機１との通信を維持することができる。
【０２００】
（実施の形態２）
図２０は、システム内にＵＬＥ間欠受信対応のセンサ子機が登録された場合における、センサ子機からのセンサ情報を受信した場合の受信電界強度の通知を示す。システム内にセンサ子機が登録された場合、センサ子機から親機１に対して窓の開閉情報等を乗せた通知信号[CLMS VARIABLE] が送信されると、親機１はこの通知メッセージを受信した際の受信電界強度を元に送信電力値を制御する。
【０２０１】
親機１の送信電力制御部は、センサ子機からの信号[CLMS VARIABLE] を一定時間（調整値）以上受信できなかった場合、ハイパワーに切り替える。このようなセンサ子機のようなＢフィールド待受け子機に対しては、死活監視によって送信電力制御の計算対象より外すことをせず、センサ子機からの信号を一定時間（調整値）以上受信できなかった場合には常にハイパワーの送信とする。
【０２０２】
このようにＵＬＥの間欠受信を行う子機（Ｂフィールド待受け子機）は、親機１に常時同期しているものではなく、高頻度で受信電界強度を親機１に送信することは無い。しかし、センサが検知した情報は確実に親機１に伝える必要があり、たとえ受信電界強度が小さくても無視することはできない。従って、ＵＬＥ間欠受信対応の子機が相手に含まれている場合、親機１は、当該子機からの通知メッセージを一定時間（調整値）以上受信できなくても当該子機を送信電力制御の計算対象より外すことはしない。また、当該子機の通信状況が改善し、親機が再び当該子機からのConnectionless Bearer(Long）を受信した際には、受信電界強度が親機１の主制御部１０２に通知され、親機１は、当該子機を計算対象に加えて送信電力制御を行う。
【０２０３】
それに対し、前述の電話用子機のようなＡフィールド待受け子機であれば、親機１は、所定時間以上通知メッセージを受信できなかった場合には送信電力制御の計算対象より外し、それ以外の子機の送信電力値のみによって送信電力制御を行う。それとは異なり、親機１は、センサ子機については確実に動作状況を管理できるようにする。
【０２０４】
（実施の形態３）
図２１は、コードレス電話機の親機１と、無線ドアホンの親機４が連携する場合の対応を示す。連携子機５は、コードレス電話機の親機１と、ドアホン親機４の双方に接続可能な子機である。この場合、ドアホン親機４はコードレス電話機の親機（以下、親機１）に子機として登録されない。
【０２０５】
無線ドアホン親機４は、親機１の制御信号を送信するためのチャネル（制御チャネル）に同期する。無線ドアホン親機４は子機としては動作しないため、親機１と無線で通信する機能はない。
【０２０６】
常にコードレス電話機の親機１に無線ドアホン親機４を同期させて動作させる為に、無線ドアホンの親機４が連携する場合には、親機１の送信電力制御を停止する。この場合、連携子機５のアプリより、親機１のアプリに対してドアホン親機４が連携していることを通知し、親機１のアプリは送信電力制御を停止する。
【０２０７】
（実施の形態４）
図２２は、親機が隣接する他のコードレス電話システムに対する干渉を回避するための親機内部の仕組みを示す。
【０２０８】
親機１はローパワーで動作中は、制御信号（Dummy Bearer ）を送信するためのチャネル（制御チャネル）の妨害波レベル検知の閾値を低くし、たとえ比較的低い妨害波が生じても制御信号を送信するための制御チャネルを変更するチャネル移動を起動する。これにより、干渉波による制御チャネルでの受信障害の発生頻度を低減することができる。
【０２０９】
親機１の無線部１０４は、１．２８秒に１回の周期で制御信号の送信を停止し、定期的に制御信号を送信する為のスロットにおいて受信動作を行い、当該スロットの受信電界強度の測定値を主制御部１０２に出力する。親機１の主制御部１０２は、無線部１０４からの受信電界強度情報を基に、閾値を用いて妨害波の有無やその強度の判定を行う。
【０２１０】
親機１の主制御部１０２は、制御チャネルを移動するために閾値を、送信電力制御状態に応じた補正する。親機１の送信電力値が低いほど妨害波レベル検知の閾値を低くし、親機１の送信電力値が高いほど妨害波レベル検知の閾値を高くする。これにより、主制御部１０２は、制御チャネルでの受信電界強度に従って妨害波レベル検知の閾値を更新する。
【０２１１】
主制御部１０２は、閾値を変更する場合に補正値取得関数を送信電力制御部１０２ａに出力する。親機１の送信電力制御部１０２ａは、主制御部１０２から受信電界強度の情報を渡されると、補正値管理用変数を更新する。これにより、送信電力制御部１０２ａは、親機１の送信電力値を制御する。なお、処理時間を最短にするため、補正値管理用変数を返すのみの処理としても良い。
【０２１２】
親機１の主制御部１０２は、制御チャネルにおける妨害波レベルと閾値を比較し、制御チャネル移動の起動の必要性を判定する。すなわち制御チャネルにおける受信電界強度に基づいて、受信電界強度＞デフォルト閾値−補正値、を満たす場合に、制御チャネル移動を起動する。
【０２１３】
（実施の形態５）
通常、図１５に示すように、複数の子機（子機２ａ、子機２ｂ、・・・、子機２ｎ）は、所定の周期での親機１からの生存確認要求の受信を契機に、所定の周期（約５分）で送信電力制御の為の通知メッセージを親機１に送信している。
【０２１４】
たとえば他人に聞かれたくない通話をしようとして、ユーザが子機を充電台から離して直ぐに親機から離れた場所に移動して発信をしようとした場合、低い送信電力値のままでは子機と親機が通信不可能な状態で発信の操作をすることがあり、子機と親機間で直ぐに無線リンクを確立することができない。
【０２１５】
そこで、本実施の形態では、子機２は、親機１の制御信号が正常に受信できない場合に、自機の送信電力制御を停止し、送信電力値をフルパワーとし、当該送信電力値を示す情報を親機１に通知する。図２４は、ある子機２が、親機１からの制御信号を正常に受信できない場合に、自機の送信電力値を示す情報を親機１に通知する様子を示す。
【０２１６】
図２４に示すように、ある子機２ｎの主制御部２０１は、定期的に親機１から送信されるはずの制御信号を正常に受信できない場合、または、親機１から送信される制御信号の受信電界強度が所定の閾値に達しない場合には、自機の送信電力値をフルパワーに設定する。そして、子機２ｎは、その後の送信の機会において自機の送信電力値を示す情報を親機１に通知する。その際、子機２ｎは、前述の通知タイミングの関わらず、自機の送信電力値を示す情報を親機１に通常より高頻度で通知する。
【０２１７】
例えば、子機２は送信電力制御の為の通知メッセージを、送達確認なしの１スロットのＭｔ：escapeを使用して連続的に３回、親機１に送信する。その際の再送回数は、子機２が持つ機能の重要性に応じて調整される。
【０２１８】
また、子機２は、定期的に親機１から送信される制御信号を受信して受信電界強度を測定し、その測定値が受信電力基準値より低くなったと判断した場合にも、前述の通知タイミングの関わらず、自機の送信電力値を示す情報を親機１に通常より高頻度で通知する。
【産業上の利用可能性】
【０２１９】
本発明の無線通信装置は、デジタルコードレス電話機に用いるのに好適である。
【符号の説明】
【０２２０】
１  親機
２  子機
３  充電台
１０１  電話回線インターフェース
１０２、２０１  主制御部
１０２ａ、２０１ａ  送信電力制御部
１０２ｂ、２０１ｂ  タイマ部
１０３、２０２  メモリ部
１０４、２０３  無線部
１０４ａ、２０３ａ  レベル測定部
１０４ｂ、２０３ｂ  増幅部
１０４ｃ  同期制御部
１０５、２０４  アンテナ
１１０  クロック生成部
２１１  充電回路
２１２  ２次電池
２１３  電源制御部
３０１  外部電源コネクタ
３０２  電源回路
【図１】
0005938657.tif 000002
【図２】
0005938657.tif 000003
【図３】
0005938657.tif 000004
【図４】
0005938657.tif 000005
【図５】
0005938657.tif 000006
【図６】
0005938657.tif 000007
【図７】
0005938657.tif 000008
【図８】
0005938657.tif 000009
【図９】
0005938657.tif 000010
【図１０】
0005938657.tif 000011
【図１１】
0005938657.tif 000012
【図１２】
0005938657.tif 000013
【図１３】
0005938657.tif 000014
【図１４】
0005938657.tif 000015
【図１５】
0005938657.tif 000016
【図１６】
0005938657.tif 000017
【図１７】
0005938657.tif 000018
【図１８】
0005938657.tif 000019
【図１９】
0005938657.tif 000020
【図２０】
0005938657.tif 000021
【図２１】
0005938657.tif 000022
【図２２】
0005938657.tif 000023
【図２３】
0005938657.tif 000024
【図２４】
0005938657.tif 000025
【図２５】
0005938657.tif 000026